(57)【要約】コードの記録されたフィルム、コードの記録されたフィルムの読み出しに使用されるリーダー、及びコードの記録されたフィルムが取り付けられたディスプレイ装置を具備する電子機器を提供する。本発明は、コードの記録された製品に第１波長を有する光を照射する第１発光部、コードの記録された製品に第２波長を有する光を照射する第２発光部、第１発光部及び第２発光部のうちいずれか一つによって光が照射されるように第１発光部及び第２発光部を制御する制御部、及び第２の波長を有する光を受光する受光部を具備する。
2015501481.tif 000002
【特許請求の範囲】
【請求項１】
所定の蛍光物質で形成されたコードの印刷されているフィルムに第１波長を有する光を照射する発光部と、
前記第１波長を有する光が前記コードに照射された場合、前記所定の蛍光物質によって放射される第２波長を有する光のみを受光する受光部と、
を含むことを特徴とするリーダー。
【請求項２】
前記フィルムは、
電子機器に具備されたディスプレイ装置の表面に取り付けられ、透明であることを特徴とする請求項１に記載のリーダー。
【請求項３】
前記第１波長を有する光は紫外線または赤外線であり、前記第２波長を有する光は可視光線であることを特徴とする請求項２に記載のリーダー。
【請求項４】
前記第２波長は、
前記ディスプレイ装置において使用される波長帯域に属していないことを特徴とする請求項３に記載のリーダー。
【請求項５】
前記受光部は、
前記第２波長を有する光のみを通過させるフィルタを具備することを特徴とする請求項４に記載のリーダー。
【請求項６】
コードが形成された製品に第１波長を有する光を照射する第１発光部と、
前記コードが形成された製品に第２波長を有する光を照射する第２発光部と、
前記第１発光部及び第２発光部のうちいずれか一つによって光が照射されるように前記第１発光部及び第２発光部を制御する制御部と、
前記第２波長を有する光を受光する受光部と、
を含み、
前記コード上に前記第１波長を有する光が照射されると、前記コードが前記第２波長を有する光を放射する場合、前記製品に前記第１波長を有する光が照射されると、前記受光部は前記コードによって放射される前記第２波長を有する光を受光し、
前記コード上に前記第２波長を有する光が照射されると、前記コードが前記第２波長を有する光を吸収する場合、前記製品に前記第２波長を有する光が照射されると、前記受光部は前記製品の前記コードが形成された部分以外から反射される前記第２波長を有する光を受光することを特徴とするリーダー。
【請求項７】
前記制御部は、前記リーダー器が作動すると、前記第２発光部を前記第２波長を有する光が照射されるように制御し、
前記制御部は、前記受光部を通じて獲得した、前記コードをゆする製品の画像の輝度が所定の輝度以上であるか判定することを特徴とする請求項６に記載のリーダー。
【請求項８】
前記制御部が前記画像の輝度が前記所定の輝度以上であると判定した場合には、前記制御部は、前記画像で輝度が比較的低く示される点に基づいてコードを解釈することを特徴とする請求項７に記載のリーダー。
【請求項９】
前記制御部が前記画像の輝度が前記所定の輝度未満であると判定した場合には、前記制御部は、前記第２発光部の作動を中止し、前記第１発光部を前記第１波長を有する光が照射されるように制御することを特徴とする請求項７に記載のリーダー。
【請求項１０】
前記制御部は、前記コードが形成された前記製品から前記受光部を通じて獲得した画像において輝度が比較的高く示される点に基づいてコードを解釈することを特徴とする請求項７に記載のリーダー。
【請求項１１】
前記第１波長を有する光は紫外線であり、前記第２波長を有する光は赤外線であることを特徴とする請求項６に記載のリーダー。
【請求項１２】
フィルム層と、
前記フィルム層の上部に形成され、所定の蛍光物質で形成されたコードを有する情報層と、
を含み、
前記所定の蛍光物質は、リーダーの発光部が第１波長を有する光を照射する場合、前記リーダーによって受光される第２波長を有する光を放射することを特徴とするコードの記録されたフィルム。
【請求項１３】
前記フィルムは、
電子機器に具備されたディスプレイ装置の表面に取り付けられ、前記フィルム層は透明であることを特徴とする請求項１２に記載のコードの記録されたフィルム。
【請求項１４】
前記第１波長を有する光は紫外線または赤外線であり、前記第２波長を有する光は可視光線であることを特徴とする請求項１３に記載のコードの記録されたフィルム。
【請求項１５】
前記第２波長は、前記ディスプレイ装置において使用される波長帯域に属していないことを特徴とする請求項１４に記載のコードの記録されたフィルム。
【請求項１６】
フィルム層と、
前記フィルム層上に塗布されてあり、リーダーの発光部が第１波長を有する光を照射する場合、第２波長を有する光を放射する第１蛍光物質と、
前記第１蛍光物質上に配置され、コードを表示し、前記第２波長を有する光を吸収する第２蛍光物質と、
を含むことを特徴とするコードの記録されたフィルム。
【請求項１７】
前記第１波長を有する光は紫外線であり、前記第２波長を有する光は赤外線であることを特徴とする請求項１６に記載のコードの記録されたフィルム。
【請求項１８】
前記フィルム層の上部に配置され、前記第２蛍光物質で表示されたコードを保護する保護層をさらに含むことを特徴とする請求項１６に記載のコードの記録されたフィルム。
【請求項１９】
リーダーの発光部が第１波長を有する光を照射する場合、第２波長を有する光を放射する第１蛍光物質を含むフィルム層と、
前記フィルム層上に配置され、コードを表示し、前記第２波長を有する光を吸収する第２蛍光物質と、
を含むことを特徴とするコードの記録されたフィルム。
【請求項２０】
前記第１波長を有する光は紫外線であり、前記第２波長を有する光は赤外線であることを特徴とする請求項１９に記載のコードの記録されたフィルム。
【請求項２１】
前記フィルム層の上部に配置され、前記第２蛍光物質で表示されたコードを保護する保護層をさらに含むことを特徴とする請求項１９に記載のコードの記録されたフィルム。
【請求項２２】
装置を具備する電子機器であって、
前記ディスプレイ装置に取り付けられたコードの記録されたフィルムを含み、
前記コードの記録されたフィルムは、
透明なフィルム層、及び前記フィルム層の上部に形成され、所定の蛍光物質でコードを表示する情報層を含み、
前記所定の蛍光物質は、リーダーの発光部が第１波長を有する光を照射する場合、前記リーダーの受光部によって受光される第２波長を有する光を放射することを特徴とするディスプレイ装置を具備する電子機器。
【請求項２３】
前記第１波長を有する光は紫外線または赤外線であり、前記第２波長を有する光は可視光線であることを特徴とする請求項２２に記載のディスプレイ装置を具備する電子機器。
【請求項２４】
前記第２波長は、
前記ディスプレイ装置において使用される波長帯域に属していないことを特徴とする請求項２３に記載のディスプレイ装置を具備する電子機器。
【請求項２５】
ディスプレイ装置を具備する電子機器であって、
前記ディスプレイ装置に取り付けられたコードの記録されたフィルムを含み、
前記フィルムは、
リーダーの発光部が第１波長を有する光を照射する場合、第２波長を有する光を放射する第１蛍光物質を含むフィルム層、及び前記フィルム層上でコードを表示し、前記第２波長を有する光を吸収する第２蛍光物質を具備することを特徴とするディスプレイ装置を具備する電子機器。
【請求項２６】
前記第１波長を有する光は紫外線であり、前記第２波長を有する光は赤外線であることを特徴とする請求項２５に記載の電子機器。
【請求項２７】
ディスプレイ装置を具備する電子機器であって、
前記ディスプレイ装置に取り付けられたコードの記録されたフィルムを含み、
前記フィルムは、
フィルム層（２１０）、前記フィルム層（２１０）に塗布されており、リーダー１００の発光部１１０が第１波長を有する光を照射する場合、第２波長を有する光を放射する第１蛍光物質、及び前記塗布された第１蛍光物質上に配置され、コードを表示し、前記第２波長を有する光を吸収する第２蛍光物質を具備することを特徴とするディスプレイ装置を具備する電子機器。
【請求項２８】
前記第１波長を有する光は紫外線であり、前記第２波長を有する光は赤外線であることを特徴とする請求項２７に記載の電子機器。
【発明の詳細な説明】
【技術分野】
【０００１】
本発明はコードの記録されたフィルム、コードの記録されたフィルムを読み出すリーダー、及びコードの記録されたフィルムが取り付けられたディスプレイディスプレイ装置に関し、より詳細には電子機器のディスプレイ部の表面に取り付けられることが可能な透明な材質の表面上にコードが形成された場合でもリーダーによって判読可能であるコードパターンの記録されたフィルム、コードの記録されたフィルムを読み出すリーダー、及びコードが記録されたフィルムが取り付けられたディスプレイ装置を具備する電子機器に関する。
【背景技術】
【０００２】
判読対象の表面に形成されたコードを読み出す従来技術によるリーダーによると、従来のリーダーの発光部から照射される光と従来のリーダーの受光部によってい受光される光とは同一の波長を有する。このため、紙面などの乱反射面を除いては発光部から照射されたて受光部によって受光される光に限界があり、この結果、発光部と受光部とは必ず光学的に分離された状態で構成しなければならなかった。
【０００３】
また、従来技術によるリーダーによると、コードの記録された透明なフィルム面に発光部から光が照射されると、正反射によってライトスポット（Light  Spot）が生じ、その他の部分は、所謂“鏡現像”によって光が受光できない問題点があった。
【０００４】
さらに鏡現像によると、ライトスポットは判読対象面の角度に影響を受けるので、センサーで撮影された画像でライトスポットを規定することができず、コードの判読をより難しくしていた。
【０００５】
即ち、従来技術によるリーダーによると、紙面などのような透明でない材質の表面上にコードパターンが印刷されている場合にはこれを読み出すことに問題がないが、画像を表示する電子機器の表示部に取り付けられた透明な表面上にコードが印刷されている場合には使用することができないという問題があった。
【発明の開示】
【発明が解決しようとする課題】
【０００６】
従って、本発明が解決しようとする課題は、電子機器のディスプレイ部に取り付けることができるように透明な材質の表面上にコードが形成された場合にも、リーダーによって判読可能なコードが記録されたフィルム、コードの記録されたフィルムを読み出すリーダー、及びコードの記録されたフィルムが取り付けられたディスプレイ装置を具備する電子機器を提供することにある。
【課題を解決するための手段】
【０００７】
本発明の一実施形態に係るリーダーは、発光部及び受光部を含む。前記発光部は、所定の蛍光物質で形成されたコードが印刷されているフィルムに第１波長を有する光を照射する。前記受光部は、前記第１波長を有する光が前記コードに照射された場合、前記所定の蛍光物質によって放射される第２波長を有する光のみを受光する。
【０００８】
前記フィルムは、電子機器に具備されたディスプレイ装置の表面に取り付けられ、透明材質を含んでいてもよい。
【０００９】
前記第１波長を有する光は紫外線または赤外線であってもよく、前記第２波長を有する光は可視光線であってもよい。
【００１０】
前記第２波長は、前記ディスプレイ装置において使用される波長帯域に属していなくてもよい。
【００１１】
前記受光部は、前記第２波長を有する光のみを通過させるフィルタを具備してもよい。
【００１２】
本発明の他の実施形態係るリーダーは、第１発光部、第２発光部、制御部及び受光部を含んでいてもよい。前記第１発光部は、コードが形成された製品に第１波長を有する光を照射するよう構成される。第２発光部は、前記コードが形成された製品に第２波長を有する光を照射するよう構成される。前記制御部は、第１発光部及び第２発光部のうちいずれか一つによって光が照射されるように第１発光部及び第２発光部を制御するよう構成される。前記受光部は、前記第２波長を有する光を受光するよう構成される。前記コード上に前記第１波長を有する光が照射されると、コードが前記第２波長を有する光を放射する場合、前記製品に前記第１波長を有する光が照射されると、前記受光部は前記コードによって放射される前記第２波長を有する光を受光する。前記コード上に前記第２波長を有する光が照射されると、コードが第２波長を有する光を吸収する場合、前記製品に前記第２波長を有する光が照射されると、前記受光部は前記製品の前記コードが形成された部分以外から反射される前記第２波長を有する光を受光する。
【００１３】
前記制御部は、前記リーダーが作動すると、前記第２発光部を前記第２波長を有する光が照射されるように制御し、前記制御部は、前記受光部を通じて獲得した、前記コードを有する製品の画像の輝度が所定の輝度以上であるか判定する。
【００１４】
また、前記制御部が前記画像の輝度が所定の輝度以上であると判定した場合には、前記制御部は、前記画像で輝度が比較的低く示される点に基づいてコードを解釈する。
【００１５】
前記制御部が前記画像の輝度が所定の輝度未満であると判定した場合には、前記制御部は、前記第２発光部の作動を中止し、前記第１発光部を前記第１波長を有する光が照射されるように制御する。
【００１６】
さらに、前記制御部は、前記コードが形成された製品から前記受光部を通じて獲得した画像において輝度が比較的高く示される点に基づいてコードを解釈する。
【００１７】
前記第１波長を有する光は例えば紫外線であり、前記第２波長を有する光は例えば赤外線である。
【００１８】
本発明の一実施形態に係るコードの記録されたフィルムによると、、フィルム層及び前記フィルム層上の情報層を含む。情報層は、所定の蛍光物質で形成されたコードを有する。前記所定の蛍光物質は、リーダーの発光部が第１波長を有する光を照射する場合、前記リーダーによって受光できる第２波長を有する光を放射する。
【００１９】
前記フィルムは、電子機器に具備されたディスプレイ装置の表面に取り付けられ、前記フィルム層は透明材質から形成されてもよい。
【００２０】
前記第１波長を有する光は紫外線または赤外線であり、前記第２波長を有する光は可視光線である。
【００２１】
前記第２波長は、前記ディスプレイ装置において使用される波長帯域に属していない。
【００２２】
本発明の他の実施形態によるコードの記録されたフィルムは、フィルム層と、前記フィルム層上に塗布されて、リーダーの発光部が第１波長を有する光を照射する場合、第２波長を有する光を放射する第１蛍光物質と、前記第１蛍光物質上に配置され、コードを表示し、前記第２波長を有する光を吸収する第２蛍光物質と、を含む。
【００２３】
前記第１波長を有する光は紫外線であり、前記第２波長を有する光は赤外線である。
【００２４】
前記フィルムは、前記フィルム層の上部に前記第２蛍光物質で表示されたコードを保護する保護層をさらに含んでいてもよい。
【００２５】
本発明の他の実施形態によるコードの記録されたフィルムは、リーダーの発光部が第１波長を有する光を照射する場合、第２波長を有する光を放射する第１蛍光物質を含むフィルム層と、前記フィルム層上に配置され、コードを表示し、前記第２波長を有する光を吸収する第２蛍光物質と、を含む。
【００２６】
前記第１波長を有する光は紫外線であり、前記第２波長を有する光は赤外線である。
【００２７】
前記フィルムは、前記フィルム層の上部に前記第２蛍光物質で表示されたコードを保護する保護層をさらに含んでいてもよい。
【００２８】
本発明の一実施形態による電子機器は、ディスプレイ装置を具備し、さらに前記電子機器は、前記ディスプレイ装置に取り付けられたコードの記録されたフィルムを有する。前記コードの記録されたフィルムは、透明なフィルム層、及び前記フィルム層の上部に形成された情報層を含み、前記情報層は所定の蛍光物質でコードを表示する。前記所定の蛍光物質は、リーダーの発光部が第１波長を有する光を照射する場合、前記リーダーの受光部によって受光される第２波長を有する光を放射する。
【００２９】
例えば、前記第１波長を有する光は紫外線または赤外線であり、前記第２波長を有する光は可視光線である。
【００３０】
例えば、前記第２波長は、前記ディスプレイ装置において使用される波長帯域に属していない。
【００３１】
本発明の他の実施形態による電子機器は、ディスプレイ装置を具備し、さらに前記電子機器は、前記ディスプレイ装置に取り付けられたフィルムを有する。前記フィルムは、リーダーの発光部が第１波長を有する光を照射する場合、第２波長を有する光を放射する第１蛍光物質を含むフィルム層、及び前記フィルム層上でコードを表示し、前記第２波長を有する光を吸収する第２蛍光物質を具備する。
【００３２】
例えば、前記第１波長を有する光は紫外線であり、前記第２波長を有する光は赤外線である。
【００３３】
本発明のさらに他の実施形態による電子機器は、ディスプレイ装置を具備し、さらに前記電子機器は、前記ディスプレイ装置に取り付けられたフィルムを含む。前記フィルムは、フィルム層と、第１蛍光物質と、第２蛍光物質とを含む。第１蛍光物質は、前記フィルム層に塗布されており、リーダーの発光部１１０が第１波長を有する光を照射する場合、第２波長を有する光を放射する。第２蛍光物質は、第１蛍光物質第１蛍光物質上に配置され、コードを表示し、前記第２波長を有する光を吸収する。
【００３４】
例えば、前記第１波長を有する光は紫外線であり、前記第２波長を有する光は赤外線である。
【発明の効果】
【００３５】
本発明によると、フィルムは、電子機器のディスプレイ部に取り付けられるように透明な材質の表面上にコードが形成された場合にもリーダーによって判読可能である。
【００３６】
さらに、本発明によると、電子機器のディスプレイ部に取り付けられるように透明な材質の表面上に形成されたコードは、表示された画像と連動して読み出すことができる。
【００３７】
さらに、本発明によると、紙面などの乱反射面ではない判読対象面でも、発光部から照射された光が受光部によって直接受光されないため、リーダーの発光部及び受光部を光学的に分離された状態で構成する必要がなくなる。
【図面の簡単な説明】
【００３８】
【図１】本発明の一実施形態によるリーダーの読み出し動作を説明する図面である。
【図２】リーダーの受光部により獲得された画像を示す図面である。
【図３】図１におけるコードの記録されたフィルムの構造を示す図面である。
【図４】本発明の別の実施形態によるリーダーの構造を示す図面である。
【図５】図４における印刷面の獲得された画像を示す図面である。
【図６】図４における本発明の別の実施形態によるリーダーの機能ブロック図である。
【図７】図４における本発明の別の実施形態によるリーダーの動作を説明するフローチャートである。
【図８】本発明のさらに別の実施形態によるコードの記録されたフィルムの構造を示す図面である。
【図９】図８における穿孔フィルムの画像を示す図面である。
【図１０】本発明の一実施形態によるコードの記録されたフィルムの構造を示す図面である。
【図１１】本発明の一実施形態によるコードの記録されたフィルムを読み出すリーダーの読み出し動作を説明する図面である。
【発明を実施するための形態】
【００３９】
以下、図面を参照して本発明の実施形態をより詳細に説明する。図面において、同一の構成要素は同一の符号を示す。また、本発明の要旨を不必要に曖昧にする公知機能及び構成に対する詳細な説明は省略する。
【００４０】
図１は本発明の一実施形態によるリーダーの読み出し動作を説明する図面である。図１を参照すると、本発明の一実施形態によるリーダー１００は、発光部１１０、及び受光部１５０を含み、コードの記録されたフィルム２００からコード情報を読み出す。
【００４１】
コードの記録されたフィルム２００は、所定の蛍光物質でコードが形成されたフィルム層２１０を含む。フィルム層２１０は透明である。リーダー１００の発光部１１０によって第１波長を有する光がこの蛍光物質上に照射された場合、この蛍光物質は受光部１５０によって受光できる第２波長を有する光を放射する。
【００４２】
一方、第１波長を有する光は紫外線であってもよく、第２波長を有する光は赤外線であってもよい。具体的には、発光部１１０が第１波長を有する紫外線をコードの記録されたフィルム２００に照射すると、所定の位置でコードを形成している蛍光物質は、第２波長を有する赤外線を放射する。
【００４３】
即ち、蛍光物質は、紫外線を通じて赤外線を放射する蛍光染料である。例えば、塩化ナトリウム（Sodium  Chloride）化合物または硫酸カルシウム水和物（Hydrated  calcium  sulfate）化合物が蛍光材料として使用されてもよい。
【００４４】
これとは異なり、第１波長を有する光は紫外線または赤外線であってもよく、第２波長を有する光は可視光線であってもよい。
【００４５】
このため、コードを形成するために使用される蛍光物質は、紫外線または赤外線を受光して可視光線を放射する蛍光物質である。例えば、ユーロピウム酸窒化物、カドミウムセレナイド（CｄSe）、カドミウムテルル（CdTe）、硫化カドミウム（CｄS）をコア（core）とする量子ドット（Quantum  dot）物質またはリン化インジウム量子ドット物質などが使用されてもよい。
【００４６】
発光部１１０が第１波長を有する光をコードの記録されたフィルム２００に照射すると、フィルム上にコード情報を形成する所定位置上の蛍光物質は、第２波長を有する光を放射する。
【００４７】
一方、リーダー１００の受光部１５０は、第２波長を有する光のみを受光してもよい。このため、受光部１５０は、好ましくは、第２波長の光のみを通過させるバンドパスフィルタ１５３を有する。バンドパスフィルタ１５３は、イメージセンサー１５５の前面に設置される。
【００４８】
受光部１５０は、ローパスフィルタ（Ｌｏｗ  Ｐａｓｓ  Ｆｉｌｔｅｒ）、ハイパスフィルタ、バンドパスフィルタなどのフィルターを必要に応じて具備してもよく、これにより、リーダー１００のコード認識におけるエラー及びディスプレイ装置の光源によるノイズを最小化することができる。
【００４９】
即ち、蛍光物質によって放射される第２波長を有する光のみが受光部１５０のバンドパスフィルタ１５３を通過することができ、その結果、イメージセンサー１５５は図２のような画像を獲得することができるようになる。
【００５０】
即ち、第１波長を有する光が蛍光物質２３３上に照射されて、第２波長を有する光によって生成される画像が獲得される場合、蛍光物質２３３の領域は明るく表示され、その他の領域は暗く表示されることで、蛍光物質２３３で形成されたドットコード、バーコード、または線分コードのパターン情報を獲得することができる。
【００５１】
本発明の実施においては、蛍光物質で形成されていない領域は暗く表示されるため、図１におけるフィルム層２１０は第１波長を有する光に反応しないで第２波長を有する光を吸収する材料で形成される。
【００５２】
一方、図３は図１におけるコードの記録されたフィルムの構造を示す図面である。図３を参照すると、図１におけるコードの記録されたフィルム２００は、フィルム層２１０、情報層２３０、及び保護層２５０を含む。
【００５３】
情報層２３０は、フィルム層２１０の上部に形成されているコード情報が記録されている層である。具体的には、リーダー１００の発光部１１０によって第１波長を有する光が照射された場合、第２波長を有する光を放射する所定の蛍光物質によってコード情報が形成される。
【００５４】
情報層２３０を成す蛍光物質は、情報層２３０の上部に形成された保護層２５０によって保護される。例えば、本発明の一実施形態によると、保護層２５０はＰＥＴ材料によって製造されてもよい。
【００５５】
また、フィルム層２１０は、受光部１５０によって受光される第２波長を有する光を吸収する材料から製造される。本発明の一実施形態によると、コードの記録されたフィルム２００がディスプレイ装置３００に適用きるように、コードの記録されたフィルム２００は透明なＰＥＴフィルムで製造される。
【００５６】
一方、本発明によるコードの記録されたフィルム２００をディスプレイ装置３００に適用する場合には、ディスプレイ装置３００から照射される光によってリーダー１００が誤動作することを防止するために、リーダー１００の受光部１５０によって受光される光は、可視光線の波長帯域の外の波長であることが望ましい。
【００５７】
一方、第２波長を有する光が可視光線波長帯域である場合、ディスプレイ装置３００から照射される可視光線によってリーダー１００が誤作動することを防止するために、リーダー１００の受光部１５０は、蛍光物質から放射される特定波長帯域の可視光線のみが受光され、ディスプレイ装置３００から照射される可視光線は受光されないことが望ましい。
【００５８】
このためには、蛍光物質から放射される可視光線の波長は、ディスプレイ装置で生成される可視光線波長領域外の波長であった方がよい。
【００５９】
一般的に、ディスプレイ装置は７００ｎｍよりも低い波長帯域の可視光線を照射する。更に、ディスプレイ装置は、４００ｎｍ波長の青色、青色と緑色との間の４９０ｎｍ波長、赤色と緑色との間の５９０ｎｍ波長は照射しない。
【００６０】
従って、本発明の実施においては、蛍光物質から放射される可視光線の波長は、７００ｎｍの波長よりも高い波長、青色の４００ｎｍ、青色と緑色との間の４９０ｎｍ、または赤色と緑色との間の５９０ｎｍの波長を有することが望ましい。このために、蛍光物質としては、ハロシリケート系蛍光体、ユーロピウム酸窒化物系蛍光体、酸化ガリウム系蛍光体、バナデート系蛍光体が適用されてもよい。また、前記領域の波長を放射する量子ドット物質が蛍光物質に適用されてもよい。
【００６１】
また、ディスプレイ装置３００に表示される画像の歪曲を低減するために、ディスプレイ装置３００によって照射される可視光に関して高い透過率を有する蛍光染料を情報層２３０に使用することが望ましい。さらに、蛍光物質で形成されたコードパターンにおけるドットの大きさを減少させて、蛍光物質の密度を低くすることが好ましい。
【００６２】
図４は、本発明の別の実施形態によるリーダー１００の構造を示す図面である。図４におけるリーダー１００は、光を選択的に照射することができるように、第１波長を有する光を照射する第１発光部１１０−１と第２波長を有する光を照射する第２発光部１１０−２とを具備する。
【００６３】
本発明の実施においては、第１波長を有する光は紫外線であり、第２波長を有する光は赤外線であることが望ましい。図４において、紫外線を照射する第１発光部１１０−１は、図１におけるコードの記録されたフィルム２００に紫外線を照射することでリーダー１００が該フィルムのコード判読を可能とし、赤外線を照射する第２発光部１１０−２は、赤外線を吸収する色素を用いることによりドットコードが形成された紙などの一般的な印刷面４００のコード判読を可能にする。
【００６４】
第１発光部１１０−１の動作は、図１及び図２を参照して説明したものと同一である、そのため、第２発光部１１０−２の動作のみを説明する。
【００６５】
第２発光部１１０−２が赤外線を吸収する色素を用いることによりドットコードが形成された印刷面４００に赤外線を照射すると、ドットコードが形成された領域では赤外線が吸収されて残りの部分では赤外線が反射されるため、赤外線のみを受光する受光部１５０によって獲得された画像においては、図５に示すようにドットコードが形成された領域が暗く表示される。
【００６６】
図６は図４における本発明の別の実施例形態によるリーダー１００の機能ブロック図であり、図７は図４における本発明の別の実施形態によるリーダー１００の動作を説明するフローチャートである。
【００６７】
図４乃至図７を参照して、本発明の別の実施形態によるリーダー１００の動作を説明すると、リーダー１００の制御部１７０はスイッチ１９０の動作を判断して（Ｓ７１０）、スイッチ１９０の動作またはスイッチ１９０の圧力が感知されると、赤外線を照射するよう第２発光部１１０−２を制御する（Ｓ７２０）。
【００６８】
ここで、読み出し対象が蛍光物質によるコードが記録されたフィルム２００であると、受光部１５０によって読み出し対象から獲得された画像は、コードの記録されたフィルム２００のフィルム層が赤外線を吸収するため、比較的暗い画像である。一方、読み出し対象が赤外線吸収する色素によってコードが形成された印刷面４００であると、受光部１５０によって印刷面４００から獲得された画像は、コードが形成された領域のみが暗く、残り部分では明るい画像であるため、比較的明るい画像である。
【００６９】
従って、制御部１７０は、受光部１５０によって獲得された画像の輝度値が所定の基準輝度値以上であるかを判定する（Ｓ７３０）。画像の輝度が所定の基準輝度値以上である場合、制御部１７０は、該画像は赤外線級数色素によりドットコードが形成された印刷面４００から獲得された画像であると判定して、図５における暗い点に基づいてコードを解釈する。
【００７０】
一方、受光部１５０によって獲得された画像の輝度が所定の基準輝度値未満である場合、制御部１７０は、読み出し対象が蛍光物質で形成されたコードを有するコードの記録されたフィルム２００であると判定し、第２発光部１１０−２の動作を中断させ、第１発光部１１０−１が読み出し対象に紫外線を照射するように制御する。この場合、受光部１５０によって獲得された画像は、図２に示すように蛍光物質によってコードが明るく示される画像であるので、制御部１７０は、明るい点に基づいてコードを解釈する。
【００７１】
図８は、本発明のさらに別の実施形態によるコードの記録されたフィルムの構造を示す図面である。図８を参照すると、本発明のさらに別の実施形態によるコードの記録されたフィルムは、反射層５１０、情報層５３０、及び保護層５５０を含む。
【００７２】
反射層５１０は、リーダー１００の発光部１１０によって照射される光を反射する材料を含む。情報層５３０は、反射層５１０の上に配置され、リーダー１００の発光部１１０によって照射される光を吸収する。
【００７３】
情報層５３０においては、ドットコードを形成するために複数の穿孔点５３３が形成されており、穿孔点５３３が形成されている情報層５３０の上に、穿孔点５３３を保護するために保護層５５０が形成される。
【００７４】
即ち、図８におけるコードの記録されたフィルムは、穿孔点５３３を通じてコードを表示するフィルムであるため、本明細書においては穿孔フィルム５００と呼ぶ。
【００７５】
本実施形態において、穿孔フィルム５００の穿孔点５３３は、レーザー加工、突起物による圧着加工、コードパターンが刻まれた複数の錐を有するカスタム金型物などを用いて形成されてもよい。
【００７６】
本発明による穿孔フィルム５００は、図８に示すように多層構造を有する。このため、リーダー１００の発光部１１０が赤外線を情報層５３０に照射する場合、穿孔点５３３が形成されていない領域に到達した赤外線の一部は吸収され、穿孔点５３３に到達した赤外線は吸収されずに穿孔点５３３を通じて露出されている反射層５１０によって反射される。
【００７７】
このように、穿孔点５３３で反射された赤外線は、リーダー１００の受光部１００で受光され、リーダー１００は図９のような画像を獲得し、リーダー１００は図９における明るい点に基づいてコードパターン情報を解釈する。
【００７８】
一方、図８における穿孔点５３３を通過する赤外線は、穿孔された部分で屈折されて乱反射される。そのため、発光部１１０から照射された光線が受光部１５０で直接受光される場合や、鏡現象によるライトスポットの問題を防止することができる。
【００７９】
さらに、本発明の実施においては、保護層５５０及び反射層５１０は、図８における穿孔フィルム５００がディスプレイ装置３００に適用できるように、透明な材料によって形成されてもよい。
【００８０】
本発明による穿孔フィルム５００を図８のようにディスプレイ装置３００の表面適用する場合には、ディスプレイ装置３００から照射される光によってリーダー１００が誤動作することを防止するために、発光部１１０によって照射されて、反射層５１０によって反射されて、リーダー１００の受光部１５０で受光される光は可視光線の波長帯域外の波長を有することが望ましい。
【００８１】
図１０は、本発明の一実施形態によるコードの記録されたフィルムの構造を示す図面である。図１０を参照すると、本発明の一実施形態によるコードの記録されたフィルム２００は、フィルム層２１０、情報層２３０、及び保護層２５０を含む。
【００８２】
フィルム層２１０は、本発明によるコードの記録されたフィルム２００がディスプレイ装置に適用できるように、透明なＰＥＴフィルムであることが望ましい。
【００８３】
情報層２３０は、蛍光物質によって形成されたコードを有する層である。情報層２３０は、第１蛍光物質を含む第１情報層２３３と第２蛍光物質を含む第２情報層２３５とで構成されている。
【００８４】
具体的に、第１情報層２３３における第１蛍光物質は、第１波長を有する光が照射されると第２波長を有する光を放射する蛍光物質であり、第１蛍光物質はフィルム層２１０上部に塗布されている。
【００８５】
第２情報層２３５における第２蛍光物質は、第２波長を有する光を吸収する物質である。第２蛍光物質は、図１０に示すように、フィルム層２１０上に塗布された第１情報層２３３上に形成されるコード形成するために使用される。
【００８６】
本発明の実施において、第２蛍光物質によって形成されるコードは、ドットコード、バーコード、または線分コードなどの多様な種類のコードであってもよい。
【００８７】
図１０における情報層２３０を形成する蛍光物質は、情報層２３０の上部に形成された透明な保護層２５０によって保護される。本発明の実施において、保護層２５０はＰＥＴ材料を含むことが望ましい。
【００８８】
図１１は、本発明の一実施形態によるコードの記録されたフィルムを読み出すリーダーの読み出し動作を説明する図面である。
【００８９】
図１１を参照すると、本発明の一実施形態によるリーダー１００は発光部１１０及び受光部１５０を含み、リーダー１００はコードの記録されたフィルム２００上のコード情報を読み出す。
【００９０】
リーダー１００の発光部１１０は、第１波長を有する光を照射し、第１情報層２３３を形成する第１蛍光物質は、第１波長を有する光が照射されたとき、リーダー１００の受光部１５０によって受光できる第２波長を有する光を放射する。
【００９１】
本発明の一実施形態によると、第１波長を有する光は紫外線であってもよく、第２波長を有する光は赤外線であってもよい。また、本発明の別の実施形態によると、第１波長を有する可視光線であってもよく、第２波長を有する光は赤外線であってもよい。本発明のさらに別の実施形態によると、第１波長を有する光は第１波長を有する赤外線であってもよく、第２波長を有する光は第２波長を有する赤外線であってもよい。
【００９２】
具体的に、本発明の一実施形態において、リーダー１００の発光部１１０が第１波長を有する紫外線をコードの記録されたフィルム２００上に照射すると、フィルム層２１０に塗布されている第１蛍光物質が赤外線を放射する。
【００９３】
第１蛍光物質から放射された赤外線は受光部１５０によって受光され、フィルム２１０上のコードを形成している第２蛍光物質は第１蛍光物質によって放射された赤外線を吸収するため、受光部１５０によって獲得された画像３００は、図５に示すにコードの表示された部分が暗く示される。
【００９４】
本発明の実施において、紫外線に反応して赤外線を放射する第１蛍光物質には、塩化ナトリウム（Sodium  chloride）化合物または硫酸カルシウム水和物（Hydrated  calcium  sulfate）化合物が使用されてもよい。
【００９５】
リーダー１００の受光部１５０は、第２波長を有する光である赤外線のみを受光する。このため、図２のように受光部１５０は第２波長帯域のみを通過させるバンドパスフィルタ１５３を有する。バンドパスフィルタ１５３は、イメージセンサー１５５の前面側に配置される。
【００９６】
即ち、第１蛍光物質から放射される第２波長を有する光のうち第２蛍光物質によって吸収された光を除いた残り光が受光部１５０のバンドパスフィルタ１５３を通過できるようになり、イメージセンサー１５５を通じて図３のような画像を獲得することができる。
【００９７】
本発明によるコードの記録されたフィルム２００をディスプレイ装置に適用する場合、ディスプレイ装置から照射される光によってリーダー１００が誤作動することを防止するために、リーダー１００の受光部１５０によって受光される光の波長は可視光線の波長領帯域外の波長であることが望ましい。
【００９８】
また、ディスプレイ装置に表示される画像の歪曲を低減するために、ディスプレイ装置から照射される可視光線波長領域で高い透過率を有する蛍光色素が情報層２３０に使用されることが望ましい。さらに、第２蛍光物質で形成されたコードパターンにおけるドットの大きさを減少させることで第２蛍光物質の密度を低くすることが望ましい。
【００９９】
一方、本発明を実施するにおいて、図１０のように、第１情報層２３３を別途に具備せず、フィルム層２１０を製造する際、第１蛍光物質をフィルム層２１０内部に一体で含まれるように製造してもよい。
【０１００】
即ち、製造者がフィルム層２１０を製造する場合、製造者は、第１蛍光物質をフィルム層２１０の原材料に混ぜて射出成型することで、フィルム層２１０自体が第１情報層２３３の機能を有するようにしてもよい。
【０１０１】
以上、本発明の実施形態を詳細に説明したが、本発明はこれに限定されず、本発明が属する技術分野において通常の知識を有する者であれば、本発明の思想と精神を離れることなく、本発明を修正または変更できる。
【図１】
2015501481.tif 000003
【図２】
2015501481.tif 000004
【図３】
2015501481.tif 000005
【図４】
2015501481.tif 000006
【図５】
2015501481.tif 000007
【図６】
2015501481.tif 000008
【図７】
2015501481.tif 000009
【図８】
2015501481.tif 000010
【図９】
2015501481.tif 000011
【図１０】
2015501481.tif 000012
【図１１】
2015501481.tif 000013
【国際調査報告】
2015501481.tif 000014
2015501481.tif 000015
2015501481.tif 000016
2015501481.tif 000017